(57)【要約】【課題】夜間や暗闇でのバイク運転時や荷物の持ち運び作業時あるいはスキー時などにおいても時刻表示を読み取りやすい腕時計を提供する。【解決手段】文字盤２を発光する発光手段３及び該発光手段を作動させるスイッチ部４を持つ時計本体５と、該時計本体を手首又は手の甲に保持し且つ指に挿脱する指挿入部８を持つ時計装着部材６とを備えた腕時計において、スイッチ部４と指挿入部８とを、指の屈伸動作に連動してスイッチ部４をオン・オフ操作可能なスイッチ操作部材９でつないでいる。【選択図】図１
2008032663.tif 000002
【特許請求の範囲】
【請求項１】
文字盤を発光する発光手段及び該発光手段を作動させるスイッチ部を持つ時計本体と、該時計本体を手首又は手の甲に保持し且つ指に挿脱する指挿入部を持つ時計装着部材とを備えた腕時計において、前記スイッチ部と前記指挿入部とを、指の屈伸動作に連動して前記スイッチ部をオン・オフ操作可能なスイッチ操作部材でつないでいることを特徴とする、腕時計。
【請求項２】
前記スイッチ操作部材によるスイッチ部のオン・オフ操作は、指の屈曲に連動してスイッチ部をオンし、指の伸長に連動してスイッチ部をオフ状態に戻すようにしている、請求項１記載の腕時計。
【請求項３】
文字盤を発光する発光手段及び該発光手段を作動させるスイッチ部を持つ時計本体と、該時計本体を手首又は手の甲に保持し且つ指に挿脱する指挿入部又は手の甲を覆う甲被覆部を持つ時計装着部材とを備えた腕時計において、前記指挿入部又は甲被覆部と前記スイッチ部とを、手首の屈伸動作に連動して前記スイッチ部をオン・オフ操作可能なスイッチ操作部材でつないでいることを特徴とする、腕時計。
【請求項４】
前記スイッチ操作部材によるスイッチ部のオン・オフ操作は、手首の屈曲に連動してスイッチ部をオンし、手首の伸長に連動してスイッチ部をオフ状態に戻すようにしている、請求項３記載の腕時計。
【請求項５】
前記発光手段が発光ダイオードである、請求項１ないし４のいずれか１項に記載の腕時計。
【請求項６】
前記スイッチ操作部材が伸縮部材からなる、請求項１ないし５のいずれか１項に記載の腕時計。
【請求項７】
前記伸縮部材がコイルばねからなる、請求項６記載の腕時計。
【請求項８】
時計本体と、該時計本体をその文字盤が外側になるよう保持して腕に装着可能にする時計装着部材からなり、前記時計本体の裏面側又は時計装着部材のいずれか一方にねじ穴を設け、もう一方に前記ねじ穴に螺合する雄ねじを設けていることを特徴とする、腕時計。
【発明の詳細な説明】
【技術分野】
【０００１】
本発明は、時刻表示を夜間や暗闇でも読み取り易い発光手段付きの腕時計に関する。
【背景技術】
【０００２】
この種の腕時計として、文字盤を発光する発光手段及び該発光手段を作動させるスイッチ部を時計本体に備えており、スイッチ部をオン操作することにより発光手段を点灯させて夜間や暗闇で時刻表示を読み取ることができるようにしたものがある（例えば、特許文献１、２、３参照。）。例えば、特許文献１、２にも記載されているように、スイッチ部は、時計本体（時計ケース）の側面に突出する押しボタンスイッチやトリガースイッチにより構成され、腕時計をはめていない側の腕の指先で押しボタンスイッチやトリガースイッチを操作することにより発光手段を点灯させるようにしている。
【０００３】
他方、時刻表示を読み取りやすくするために腕時計本体を手の甲に時計装着帯で装着したり、スキー手袋の甲部に時計本体をその文字盤が外側になるように装着したりするものが公知である（例えば、特許文献４、５参照。）。
【０００４】
【特許文献１】特開平６−２７２６２号公報
【特許文献２】特開平１０−３１０８０号公報
【特許文献３】特開２０００−２９２５５８号公報
【特許文献４】特開２００１−２７５７２０号公報
【特許文献５】実開平５−２７０１０号公報
【発明の開示】
【発明が解決しようとする課題】
【０００５】
しかしながら、腕時計をはめていない側の片方の手の指先で腕時計の押しボタンスイッチ等を操作して時刻表示を読み取るという上記腕時計では、夜間や暗闇でのバイクの運転時や荷物の持ち運び作業時、あるいはスキー中などにおいて、腕時計をはめていない側の片方の手で押しボタンスイッチを操作することが困難ないし不可能であるため、時刻を読み取ることができないという不利不便があった（以下、「第１の課題」という。）。
【０００６】
腕時計本体を手の甲部や手袋の甲部に装着する上記腕時計では、時計本体が時計装着帯又は手袋に一体的に取り付けられているため、着用者の好みに応じて時計本体、時計装着帯又は手袋を取り替えることができないという難点がある（以下、「第２の課題」という。）。
【０００７】
本発明は、上記第１の課題を解決するためになされたものであり、上記のような、文字盤を発光する発光手段及び該発光手段を作動させるスイッチ部を時計本体に備えた腕時計において、腕時計をはめている腕の指又は手首の屈伸動作によりスイッチ部をオン・オフ操作できるようにすることにより夜間や暗闇でのバイク運転時や荷物の持ち運び作業時あるいはスキー中などにおいても時刻表示を読み取り易い腕時計を提供することを目的とする。
【０００８】
本発明は、上記第２の課題を解決するためになされたものであり、上記のような、時計本体を時計装着帯又は手袋など時計装着部材に取り付ける腕時計において、時計装着部材に対する時計本体の着脱手段に工夫を凝らすことにより着用者の好みに合わせて時計本体又は時計装着部材を取り替えることができ、しかも時計装着部材に対し時計本体を簡単に着脱でき、また不測に離脱するおそれなく確実な取り付け状態を得る腕時計を提供することを目的とする。
【課題を解決するための手段】
【０００９】
上記第１の課題を解決するために、本発明は、請求項１に記載のように、文字盤を発光する発光手段及び該発光手段を作動させるスイッチ部を持つ時計本体と、該時計本体を手首又は手の甲に保持し且つ指に挿脱する指挿入部を持つ時計装着部材とを備えた腕時計において、前記スイッチ部と前記指挿入部とを、指の屈伸動作に連動して前記スイッチ部をオン・オフ操作可能なスイッチ操作部材でつないでいることに特徴を有するものである。
このような構成によれば、指挿入部に挿入している指を曲げたり、元の真直ぐな状態に伸ばしたりするだけの簡単な操作でスイッチ操作部材を介してスイッチ部をオン・オフ操作することができ、そのオン操作により発光手段を点灯することができるため、夜間や暗闇でバイクを運転している時や荷物を持って運んでいる時あるいはスキー中などにおいても時刻表示を読み取り易い。
【００１０】
請求項１に記載の腕時計は、請求項２に記載のように、前記スイッチ操作部材によるスイッチ部のオン・オフ操作は、指の屈曲に連動してスイッチ部をオンし、指の伸長に連動してスイッチ部をオフ状態に戻すようにすることができる。
【００１１】
上記第１の課題を解決するために、本発明は、請求項３に記載のように、文字盤を発光する発光手段及び該発光手段を作動させるスイッチ部を持つ時計本体と、該時計本体を手首又は手の甲に保持し且つ指に挿脱する指挿入部又は手の甲を覆う甲被覆部を持つ時計装着部材とを備えた腕時計において、前記指挿入部又は甲被覆部と前記スイッチ部とを、手首の屈伸動作に連動して前記スイッチ部をオン・オフ操作可能なスイッチ操作部材でつないでいることに特徴を有するものである。
このような構成によれば、腕時計をはめている腕の手首を曲げたり、元の状態に伸ばしたりするだけの簡単な操作でスイッチ操作部材を介してスイッチ部をオン・オフ操作することができ、そのオン操作により発光手段を点灯することができるため、夜間や暗闇でのバイク運転時や荷物の持ち運び作業時あるいはスキー中などにおいても時刻表示を容易に読み取ることができる。
【００１２】
請求項３記載の腕時計は、請求項４に記載のように、前記スイッチ操作部材によるスイッチ部のオン・オフ操作は、手首の屈曲に連動してスイッチ部をオンし、手首の伸長に連動してスイッチ部をオフ状態に戻すようにすることができる。
【００１３】
請求項１ないし４のいずれか１項に記載の腕時計は、請求項５に記載のように、前記発光手段は発光ダイオードにより構成することができる。
請求項１ないし５のいずれか１項に記載の腕時計は、請求項６に記載のように、前記スイッチ操作部材は伸縮部材で構成することができる。この場合、伸縮部材としては、請求項７記載のように、コイルはねを使用することができる。これによれば、指や手首の屈曲に伴いスイッチ操作部材が伸びてスイッチ部をオンすることができ、指や手首の伸長に伴いスイッチ操作部材が縮んでスイッチ部をオフ状態に戻すことができる。
【００１４】
上記第２の課題を解決するために、本発明は、請求項８に記載のように、時計本体と、該時計本体をその文字盤が外側になるよう保持して腕に装着可能にする時計装着部材からなり、前記時計本体の裏面側又は時計装着部材のいずれか一方にねじ穴を設け、もう一方に前記ねじ穴に螺合する雄ねじを設けていることに特徴を有するものである。
このような構成によれば、時計本体側のねじ穴又は雄ねじを時計装着部材側の雄ねじ又はねじ穴にねじ込むことにより時計本体を時計装着部材に対し簡単に着脱可能に取り付けることができ、したがって時計装着部材又は時計本体の取り替えを簡単に行うことができ、また時計本体を取り外して時計装着部材のみを洗濯することもできる。
【発明の効果】
【００１５】
請求項１〜７に記載の発明によれば、腕時計をはめている腕の指又は手首の屈伸動作によりスイッチ部をオン・オフ操作できるようにしてあるので、夜間や暗闇でのバイク運転時や荷物の持ち運び作業時あるいはスキー中などにおいても時刻表示を容易に読み取ることができる。
【００１６】
請求項８に記載の発明によれば、時計本体側のねじ穴又は雄ねじを時計装着部材側の雄ねじ又はねじ穴にねじ込むことにより時計本体を時計装着部材に対し簡単に着脱可能に取り付けることができるため、時計装着部材又は時計本体の取り替えを簡単に行うことができ、また時計本体を取り外して時計装着部材のみを洗濯することもできる。
【発明を実施するための最良の形態】
【００１７】
以下、本発明に係る腕時計の好適な実施例を図面に基づき説明する。
【００１８】
（第１実施例）
図１は本発明の請求項１記載の発明に対応する実施例の腕時計の時計本体と時計装着部材の正面図を示す。この図において、１はデジタル又はアナログ腕時計で、文字盤２を発光する発光ダイオード（ＬＥＤ）、電界発光ランプ、あるいは電球等による発光手段３及び該発光手段３の電源をオン・オフするトリガースイッチによるスイッチ部４を持つ時計本体５と、時計装着部材６を備えている。時計装着部材６は、時計本体５を手の甲に保持する時計保持部７と、或る指、例えば中指に挿脱するリング状の指挿入部８とを備えている。図１に示す時計装着部材６の時計保持部７は時計本体５を手の甲に保持するものとしているが、これに代えて、図２に示すように時計本体５を手首に保持する時計保持部７とすることもできる。なお、スキー時にはスキー手袋の上に上記時計装着部材６をはめることになる。
【００１９】
上記スイッチ部４と指挿入部８とは、指挿入部８に挿入される指の屈伸に連動してスイッチ部４をオン・オフするスイッチ操作部材９でつないでいる。すなわち、スイッチ操作部材９の一端部９ａをスイッチ部４に結合固定し、スイッチ操作部材９の他端部９ｂを指挿入部８に結合固定する。スイッチ操作部材９はコイルばね、ゴム紐等からなる伸縮部材で構成することが好ましい。スイッチ操作部材９は男女あるいは手の大きさに合わせて長さを変えることで伸縮調整することができる。
【００２０】
図１、図２に示す上記実施例では、時計装着部材６は手首に巻くバンド部６ａと或る指に挿脱する指挿入部８とを一体に備える形に形成してあるが、これに代えて、図３に示すように時計装着部材６は厚地の手袋（スキー手袋を含む）１０で構成し、その手袋１０の甲部に凹部１１を設け、この凹部１１に時計本体５をその文字盤２が外側になるよう埋め込み状に保持するものとすることもできる。この場合、手袋１０の或る指挿入部８、例えば中指に挿脱する袋状の指挿入部８と、時計本体５のスイッチ部４とは、上記実施例の場合と同様に、コイルばね、ゴム紐等からなるスイッチ操作部材９でつなぐ。
【００２１】
次に、上記構成の腕時計１の作動について説明する。
まず、指挿入部８の差し込まれた指を掌側に曲げると、スイッチ操作部材９の引き込み操作によりトリガースイッチによるスイッチ部４がオンし、発光手段３が点灯して文字盤２を発光する。この発光により夜間や暗闇でも時刻を読み取ることができる。その曲げられた指を元の真直ぐな状態に伸ばすと、スイッチ操作部材９による引き込み操作が解除されるため、スイッチ部４がオフ状態に戻る。こうした指の屈伸動作は、バイク運転時や荷物の持ち運び作業時あるいはスキー中などにおいても容易に行うことができる。
【００２２】
上記実施例ではスイッチ操作部材９による引き込み操作によりトリガースイッチによるスイッチ部４を引いてオンにするが、スイッチ部４を押しボタンスイッチで構成し、スイッチ操作部材９の引き込み動作を押しボタンを押す運動に変換する変換部材（図示省略）をスイッチ操作部材９の一端部とスイッチ部４との間に配置して、スイッチ操作部材９による引き込み操作によりスイッチ部４を押すことによりオンにするようにすることもできる。
【００２３】
（第２実施例）
図４は本発明の請求項２記載の発明に対応する実施例の腕時計の時計本体と時計装着部材の正面図を示す。
上記第１実施例では指の屈伸に伴いスイッチ操作部材９を介してスイッチ部４をオン・オフするようにしてあるが、この第２実施例では手首の屈伸に伴いスイッチ部４をオン・オフするようにしてある。
即ち、第２実施例の腕時計１は、文字盤２を発光する発光ダイオード（ＬＥＤ）、電界発光ランプ、電球等による発光手段３及び該発光手段３の電源をオン・オフするトリガースイッチあるいは押しボタンスイッチによるスイッチ部４を持つ時計本体５と、時計装着部材６を備えていることは、第１実施例の場合と同様であるが、時計装着部材６が、時計本体５を手首又は手の甲に保持し且つ手の甲を覆う甲被覆部１６及び五本指が個別に挿入される指挿入部１９を持つ手袋やベルト等により構成される一方、コイルばね、ゴム紐等からなるスイッチ操作部材９でスイッチ部４と甲被覆部１６又は指挿入部２１とをつないでいる点が第１実施例の腕時計と異なっている。なお、スイッチ操作部材９の一端部９ａはスイッチ部４に結合固定し、スイッチ操作部材９の他端部９ｂは甲被覆部１６又は指挿入部２１に結合固定する。
【００２４】
このように構成された腕時計１においても、時計装着部材６を着用した手首を掌側に曲げると、スイッチ操作部材９の引き込み操作によりスイッチ部４がオンし、発光手段３が点灯して文字盤２を発光する。この発光により夜間や暗闇でも時刻を読み取ることができる。その曲げられた手首を元の状態に伸ばすとスイッチ操作部材９による引き込み操作が解除されるため、スイッチ部４がオフ状態に戻る。こうした手首の屈伸動作も、バイク運転時や荷物の持ち運び作業時あるいはスキー中などにおいても容易に行うことができる。
【００２５】
図５は本発明の請求項８記載の発明に対応する実施例の腕時計の時計本体と時計装着部材の正面図を示し、図６は図５におけるＡ−Ａ線断面図、図７は時計本体と時計装着部材を分離した状態で示す断面図である。
この実施例の腕時計はデジタル又はアナログ式の文字盤を持つ時計本体５と、該時計本体５をその文字盤２が外側になるよう保持して腕に装着可能にするベルトや手袋等からなる時計装着部材６とを備える。そして、図６、図７に示すように、時計本体５の裏面側にはねじ穴１７を設ける一方、時計装着部材６の時計装着面にねじ穴１７に螺合する雄ねじ１８を突設している。ねじ穴１７は時計本体５の裏蓋１９の中央から筒状ボス２０を突設し、その筒状ボス２０の内周に雌ねじを設けることにより構成される。雄ねじ１８は時計装着部材６の時計装着面から突設したボルトにより構成される。
しかるときは、時計本体５のねじ穴１７を時計装着部材６の雄ねじ１８に締め込み方向に回転させて強く締め付けることにより時計本体５を時計装着部材６に簡単かつ確実に取り付けることができ、反対に時計本体５を緩み方向に回転させることで時計装着部材６から簡単に取り外すことができる。
【００２６】
上記実施例に代えて、時計装着部材６にねじ穴１７を設け、時計本体５の裏面側にねじ穴１７に螺合する雄ねじ１８を設けることもできる。いずれにおいても雄ねじ１８は携帯時の軽量化を図るために樹脂製のボルトで構成することが好ましい。
【００２７】
雄ねじ１８は、図６のように、そのねじ軸が時計装着部材６の時計装着面又は時計本体５の裏面に対し直角になるように設けたり、図８のように、そのねじ軸が時計装着部材６の時計装着面又は時計本体５の裏面に対し或る角度で傾くように設けたりすることができる。
【００２８】
バイク運転時や荷物の持ち運び作業時あるいはスキー中などにおいても時計本体５はその文字盤２が見やすい角度に傾けて時計装着部材６に取り付けておくことが好ましい。そのために、図８のように、時計装着部材６の時計装着面又は時計本体５の裏面に対し雄ねじ１８をそのねじ軸が所定角度だけ所定向きに傾斜する姿勢に突設する。かくして、時計本体５又は時計装着部材６のねじ穴１７に傾斜姿勢の雄ねじ１８をねじ込むことにより、時計本体５が、図５のようにデジタル時計の場合にはその文字盤２の時刻表示の数字が並ぶ方向にのびる直線である横軸線Ｃ１（図９のようにアナログ時計の場合にはその文字盤２の中心を通って３時の数字「３」と９時の数字「９」とを結ぶ直線である横軸線Ｃ１）に対し直交する縦軸線Ｃ２上の時計本体上部５ａ（デジタル時計の場合その時刻表示部の上部側、アナログ時計の場合１２時を表示する位置）の高さＨが縦軸線Ｃ２上の時計本体下部５ｂ（デジタル時計の場合その時刻表示部の下部側、アナログ時計の場合６時を表示する位置）の高さｈよりも高くなるように、時計装着部材６に時計本体５を上向き傾斜角度に取り付けることができる（図８参照）。このように上向き傾斜角度に取り付けられた時計本体５は、時刻の確認時に手首や首をさほど動かすことなく、文字盤２が見やすくなる。したがって、とくに、バイクの運転時などにおいても文字盤２を瞬間的に見やすくなるため、前方不注意による事故発生を防止でき、安全運転に寄与することができる。
【００２９】
さらに、時計本体５は、図５のように、上記横軸線Ｃ１が、腕長手方向Ｙに対し、親指Ｐ側から小指Ｍ側にかけて、小指Ｍ側から遠去かるように傾斜する状態に時計装着部材６に取り付ける。これにより、バイクの運転時やスキー中においても、時刻を確認するとき、横軸線Ｃ１が腕長手方向方向Ｙに対し平行又は直交するように手首や手の甲に装着されるタイプの腕時計に比べて手首や首を動かし量をできるだけ少なくし得るため、それだけ瞬時に時刻を読み取り易い。
【００３０】
図５〜７に示す実施例による時計装着部材６に対する時計本体５の取り付け構造は、上記のような発光手段３、スイッチ部４及びスイッチ操作部材９を具備する腕時計に適用することができるが、必ずしもそのような腕時計を対象とするものに限られず、発光手段３、スイッチ部４及びスイッチ操作部材９を具備しない腕時計にも同様に適用できる。
【図面の簡単な説明】
【００３１】
【図１】本発明の請求項１記載の発明に対応する実施例の腕時計の時計本体と時計装着部材の正面図である。
【図２】本発明の請求項１記載の発明に対応する他の実施例の腕時計の時計本体と時計装着部材の正面図である。
【図３】本発明の請求項１記載の発明に対応する更に他の実施例の腕時計の時計本体と時計装着部材の正面図である。
【図４】本発明の請求項２記載の発明に対応する実施例の腕時計の時計本体と時計装着部材の正面図である。
【図５】本発明の請求項８記載の発明に対応する実施例の腕時計の時計本体と時計装着部材の正面図である。
【図６】図５におけるＡ−Ａ線断面図である。
【図７】時計本体と時計装着部材を分離した状態で示す断面図である。
【図８】他の実施例を図６に相応して示す断面図である。
【図９】他の実施例を図５に相応して示す腕時計の時計本体と時計装着部材の正面図である。
【符号の説明】
【００３２】
１  腕時計
２  文字盤
３  発光手段
４  スイッチ部
５  時計本体
６  時計装着部材
７  時計保持部
８，２１  指挿入部
９  スイッチ操作部材
１６  甲被覆部
１７  ねじ穴
１８  雄ねじ
【図１】
2008032663.tif 000003
【図２】
2008032663.tif 000004
【図３】
2008032663.tif 000005
【図４】
2008032663.tif 000006
【図５】
2008032663.tif 000007
【図６】
2008032663.tif 000008
【図７】
2008032663.tif 000009
【図８】
2008032663.tif 000010
【図９】
2008032663.tif 000011